(57)【要約】  ユーザ端末は、下りリンクに関する制御情報を受信する受信部と、制御情報において、無線リンク障害の監視及びビーム障害の検出の少なくとも１つに関する処理に使用すべき参照信号の情報が示されず、かつ、参照信号に関連付いた下り送信設定情報が示されない場合、規定の信号に基づいて処理を行う制御部と、を有する。
2020049745.tif 000002
【特許請求の範囲】
【請求項１】
下りリンクに関する制御情報を受信する受信部と、
前記制御情報において、無線リンク障害の監視及びビーム障害の検出の少なくとも１つに関する処理に使用すべき参照信号の情報が示されず、かつ、前記参照信号に関連付いた下り送信設定情報が示されない場合、規定の信号に基づいて前記処理を行う制御部と、
を有する、
ユーザ端末。
【請求項２】
前記規定の信号は、セルサーチにおいて検出されたＳＳ／ＰＢＣＨ（Synchronization Signal/Physical Broadcast Channel）である、
請求項１に記載のユーザ端末。
【請求項３】
前記ＳＳ／ＰＢＣＨは、最後のランダムアクセス手順において用いられたものである、
請求項２に記載のユーザ端末。
【請求項４】
下りリンクに関する制御情報を受信する受信部と、
前記制御情報において、無線リンク障害の監視及びビーム障害の検出の少なくとも１つに関する処理に使用すべき参照信号の情報が示されず、かつ、前記参照信号に関連付いた下り送信設定情報が示されない場合、（１）エラー状態と決定する、あるいは、（２）前記処理を行わないと決定する制御部と、
を有する、
ユーザ端末。
【請求項５】
下りリンクに関する制御情報を受信し、
前記制御情報において、無線リンク障害の監視及びビーム障害の検出の少なくとも１つに関する処理に使用すべき参照信号の情報が示されず、かつ、前記参照信号に関連付いた下り送信設定情報が示されない場合、規定の信号に基づいて前記処理を行う、
無線通信方法。
【請求項６】
下りリンクに関する制御情報を受信し、
前記制御情報において、無線リンク障害の監視及びビーム障害の検出の少なくとも１つに関する処理に使用すべき参照信号の情報が示されず、かつ、前記参照信号に関連付いた下り送信設定情報が示されない場合、（１）エラー状態と決定する、あるいは、（２）前記処理を行わないと決定する、
無線通信方法。
【発明の詳細な説明】
【技術分野】
【０００１】
本開示は、ユーザ端末及び無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
現状、ユーザ端末と無線基地局との間において、無線リンクのモニタリング及びビーム障害（failure）の検出に関する動作が規定されている。
【先行技術文献】
【非特許文献】
【０００４】
【非特許文献１】3GPP TS 38.331 V15.2.1 "3rd Generation Partnership Project; Technical Specification Group Radio Access Network; NR;Radio Resource Control (RRC) protocol specification (Release 15)", June 2018
【非特許文献２】3GPP TS 38.213 V15.2.0 " 3rd Generation Partnership Project; Technical Specification Group Radio Access Network; NR; Physical layer procedures for control (Release 15)", June 2018
【発明の概要】
【発明が解決しようとする課題】
【０００５】
しかしながら、無線リンクのモニタリング及び／又はビーム障害の検出に関するユーザ端末（及び無線基地局）の動作については十分な規定がなされておらず、ユーザ端末（及び無線基地局）が無線リンクのモニタリング及び／又はビーム障害の検出を実現できないおそれがある。【０００６】
本開示の一態様は、無線通信システムにおいて、無線リンクのモニタリング及び／又はビーム障害の検出を実現可能なユーザ端末及び無線通信方法を提供することを目的の１つとする。
【課題を解決するための手段】
【０００７】
本開示の一態様に係るユーザ端末は、下りリンクに関する制御情報を受信する受信部と、前記制御情報において、無線リンク障害の監視及びビーム障害の検出の少なくとも１つに関する処理に使用すべき参照信号の情報が示されず、かつ、前記参照信号に関連付いた下り送信設定情報が示されない場合、規定の信号に基づいて前記処理を行う制御部と、を有する。
【発明の効果】
【０００８】
本開示の一態様によれば、無線通信システムにおいて、無線リンクのモニタリング及び／又はビーム障害の検出を実現できる。
【図面の簡単な説明】
【０００９】
【図１】一実施の形態に係る無線基地局の構成例とＤＬ（DownLink）処理例を示す図である。
【図２】一実施の形態に係る無線基地局の構成例とＵＬ（UpLink）処理例を示す図である。
【図３】一実施の形態に係るユーザ端末の構成例とＤＬ（DownLink）処理例を示す図である。
【図４】一実施の形態に係るユーザ端末の構成例とＵＬ（UpLink）処理例を示す図である。
【図５】一実施の形態に係るＲＬＭ（Radio Link Monitoring）に関する設定情報の一例を示す図である。
【図６】一実施の形態に係るCORESET（ControlResourceSet）に関する設定情報の一例を示す図である。
【図７】一実施の形態に係るユーザ端末の動作例を示す図である。
【図８】一実施の形態に係るユーザ端末及び無線基地局のハードウェア構成例を示す図である。
【発明を実施するための形態】
【００１０】
以下、本開示の一実施の形態を、図面を参照して説明する。
【００１１】
（一実施の形態）
本実施の形態に係る無線通信システムは、少なくとも、図１及び図２に示す無線基地局１０、並びに、図３及び図４に示すユーザ端末２０を備える。ユーザ端末２０は、無線基地局１０に接続（アクセス）する。
【００１２】
＜無線基地局＞
図１及び図２は、本実施の形態に係る無線基地局１０の構成例を示す図である。無線基地局１０は、スケジューラ１０１と、上位レイヤ処理部１０２と、エラー制御部１０３と、符号化及び復号化部１０４と、変調及び復調部１０５と、リソースマッピング及びデマッピング部１０６と、アンテナマッピング及びデマッピング部１０７と、１以上のアンテナ１０８とを有する。
【００１３】
次に、図１を参照して、無線基地局１０がユーザ端末２０へ信号を送信する処理（ＤＬ処理）について説明する。
【００１４】
上位レイヤ処理部１０２は、ＤＬデータ信号及びＤＬ制御信号等の送信信号を生成する。ＤＬ制御信号は、ＭＣＳ（Modulation and Coding Scheme）情報を含むＤＬ制御情報（ＤＣＩ：Downlink Control Information）を含んでよい。上位レイヤ処理部１０２は、生成した送信信号をエラー制御部１０３へ出力する。
【００１５】
エラー制御部１０３は、上位レイヤ処理部１０２から出力された送信信号にＣＲＣ（Cyclic Redundancy Check）等のエラー検出用の信号を付加し、符号化及び復号化部１０４へ出力する。
【００１６】
符号化及び復号化部１０４は、スケジューラ１０１からの設定（例えばＭＣＳ情報）に基づいて、エラー制御部１０３から出力された送信信号に符号化処理を施し、変調及び復調部１０５へ出力する。
【００１７】
変調及び復調部１０５は、スケジューラ１０１からの設定（例えばＭＣＳ情報）に基づいて、符号化及び復号化部１０４から出力された送信信号に変調処理を施し、リソースマッピング部１０６へ出力する。
【００１８】
リソースマッピング及びデマッピング部１０６は、スケジューラ１０１からの設定（例えばリソース割当情報）に基づいて、変調及び復調部１０５から出力された送信信号（ＤＬデータ信号、ＤＬ制御信号及びＲＳ（Reference Signals）等）をＲＢ（Resource Block）にマッピングする。そして、リソースマッピング及びデマッピング部１０６は、各ＲＢにマッピングした各送信信号をアンテナマッピング及びデマッピング部１０７へ出力する。
【００１９】
アンテナマッピング及びデマッピング部１０７は、スケジューラ１０１からの設定（例えばアンテナ割当情報）に基づいて、リソースマッピング及びデマッピング部１０６から出力された各送信信号を、各アンテナ１０８にマッピングする。そして、アンテナマッピング及びデマッピング部１０７は、送信信号をマッピング先のアンテナ１０８へ出力する。
【００２０】
アンテナ１０８は、アンテナマッピング及びデマッピング部１０７から出力された送信信号を空間へ出力（送信）する。
【００２１】
スケジューラ１０１は、無線基地局１０とユーザ端末２０との間のチャネル品質（例えばＣＳＩ（Channel State Information））に基づいて、符号化及び復号化部１０４に対してＭＣＳ情報（例えば符号化率及び変調方式等）を設定する。また、スケジューラ１０１は、各送信信号（ＤＬデータ信号、ＤＬ制御信号、及びＲＳ等）を割り当てるＲＢを判断し、その判断結果であるリソース割当情報をリソースマッピング及びデマッピング部１０６に設定する。また、スケジューラ１０１は、各ＲＢに割り当てられた各送信信号を送信するアンテナ１０８を判断し、その判断結果であるアンテナ割当情報をアンテナマッピング及びデマッピング部１０７に設定する。また、スケジューラ１０１は、複数のアンテナ１０８を用いてビームフォーミングを行うための設定を行ってもよい。
【００２２】
次に、図２を参照して、無線基地局１０がユーザ端末２０から信号を受信する処理（ＵＬ処理）について説明する。
【００２３】
各アンテナ１０８は、ユーザ端末２０から送信された信号を受信し、アンテナマッピング及びデマッピング部１０７へ出力する。
【００２４】
アンテナマッピング及びデマッピング部１０７は、スケジューラ１０１からの設定（例えばアンテナ割当情報）に基づいて、各アンテナ１０８から出力された受信信号をデマッピングし、リソースマッピング及びデマッピング部１０６へ出力する。
【００２５】
リソースマッピング及びデマッピング部１０６は、スケジューラ１０１からの設定（例えばリソース割当情報）に基づいて、各ＲＢから受信信号（ＵＬデータ信号、ＵＬ制御信号及びＲＳ等）を抽出（デマッピング）し、変調及び復調部１０５へ出力する。
【００２６】
変調及び復調部１０５は、スケジューラ１０１からの設定（例えばＭＣＳ情報）に基づいて、リソースマッピング及びデマッピング部１０６から出力された受信信号を復調し、符号化及び復号化部１０４へ出力する。
【００２７】
符号化及び復号化部１０４は、スケジューラ１０１からの設定（例えばＭＣＳ情報）に基づいて、変調及び復調部１０５から出力された受信信号を復号し、エラー制御部１０３へ出力する。
【００２８】
エラー制御部１０３は、符号化及び復号化部１０４から出力された受信信号に対してエラー検出を行うと共に、エラー検出用の信号を除去して上位レイヤ処理部１０２へ出力する。なお、エラー制御部１０３は、エラーを検出した場合、エラーを検出したことを上位レイヤ処理部１０２へ通知してよい。
【００２９】
上位レイヤ処理部１０２は、エラー制御部１０３から出力された受信信号（ＵＬデータ信号、ＵＬ制御信号、及びＲＳ等）を受信し、所定の処理を行う。例えば、上位レイヤ処理部１０２は、レイヤ２に係るＭＡＣ（Medium Access Control）処理、ＲＬＣ（Radio Link Control）処理、及び、レイヤ３に係るＲＲＣ（Radio Resource Control）処理等を行う。
【００３０】
スケジューラ１０１におけるＵＬ処理は、上述のＤＬ処理の場合と概ね同様であるため、説明を省略する。
【００３１】
＜ユーザ端末＞
図３及び図４は、本実施の形態に係るユーザ端末２０の構成例を示す図である。ユーザ端末２０は、制御部２０１と、上位レイヤ処理部２０２と、エラー制御部２０３と、符号化及び復号化部２０４と、変調及び復調部２０５と、リソースマッピング及びデマッピング部２０６と、アンテナマッピング及びデマッピング部２０７と、１以上のアンテナ２０８とを有する。
【００３２】
次に、図３を参照して、ユーザ端末２０が無線基地局１０から信号を受信する処理（ＤＬ処理）について説明する。
【００３３】
各アンテナ２０８は、無線基地局１０から送信された信号を受信し、アンテナマッピング及びデマッピング部２０７へ出力する。
【００３４】
アンテナマッピング及びデマッピング部２０７は、制御部２０１からの設定に基づいて、各アンテナ２０８から出力された受信信号についてデマッピングを行い、リソースマッピング及びデマッピング部２０６へ出力する。
【００３５】
リソースマッピング及びデマッピング部２０６は、制御部２０１からの設定に基づいて、ユーザ端末２０に割り当てられた各ＲＢから受信信号（ＤＬデータ信号、ＤＬ制御信号及びＲＳ等）を抽出（デマッピング）し、変調及び復調部２０５へ出力する。
【００３６】
変調及び復調部２０５は、制御部２０１からの設定に基づいて、リソースマッピング及びデマッピング部２０６から出力された受信信号を復調し、符号化及び復号化部２０４へ出力する。
【００３７】
符号化及び復号化部２０４は、制御部２０１からの設定に基づいて、変調及び復調部２０５から出力された受信信号を復号し、エラー制御部２０３へ出力する。
【００３８】
エラー制御部２０３は、符号化及び復号化部２０４から出力された受信信号に対してエラー検出を行うと共に、エラー検出用の信号を除去して上位レイヤ処理部２０２へ出力する。なお、エラー制御部２０３は、エラーを検出した場合、エラーを検出したことを上位レイヤ処理部２０２へ通知してよい。
【００３９】
上位レイヤ処理部２０２は、エラー制御部２０３から出力された受信信号（ＤＬデータ信号、ＤＬ制御信号、及びＲＳ等）を受信し、所定の処理を行う。例えば、上位レイヤ処理部２０２は、レイヤ２に係るＭＡＣ（Medium Access Control）処理、ＲＬＣ（Radio Link Control）処理、及び、レイヤ３に係るＲＲＣ（Radio Resource Control）処理等を行う。
【００４０】
制御部２０１は、無線基地局１０から受信したＭＣＳ情報（例えば符号化率及び変調方式等）に基づき、符号化部及び復号化部２０４の設定を行う。また、制御部２０１は、無線基地局１０から受信したリソース割当情報に基づき、リソースマッピング及びデマッピング部２０６の設定を行う。また、制御部２０１は、アンテナマッピング及びデマッピング部２０７の設定を行う。また、制御部２０１は、複数のアンテナ２０８を用いてビームフォーミングを行うための設定を行ってもよい。
【００４１】
次に、図４を参照して、ユーザ端末２０が無線基地局１０へ信号を送信する処理（ＵＬ処理）について説明する。
【００４２】
上位レイヤ処理部２０２は、ＵＬデータ信号及びＵＬ制御信号等の送信信号を生成する。上位レイヤ処理部２０２は、生成した送信信号をエラー制御部２０３へ出力する。
【００４３】
エラー制御部２０３は、上位レイヤ処理部２０２から出力された送信信号にＣＲＣ等のエラー検出用の信号を付加し、符号化及び復号化部２０４へ出力する。
【００４４】
符号化及び復号化部２０４は、制御部２０１からの設定に基づいて、エラー制御部２０３から出力された送信信号に符号化処理を施し、変調及び復調部２０５へ出力する。
【００４５】
変調及び復調部２０５は、制御部２０１からの設定に基づいて、符号化及び復号化部２０４から出力された送信信号に変調処理を施し、リソースマッピング及びデマッピング部２０６へ出力する。
【００４６】
リソースマッピング及びデマッピング部２０６は、制御部２０１からの設定に基づいて、変調及び復調部２０５から出力された送信信号（ＵＬデータ信号、ＵＬ制御信号、及びＲＳ等）をＲＢにマッピングする。そして、リソースマッピング及びデマッピング部２０６は、各ＲＢに割り当てた各送信信号をアンテナマッピング及びデマッピング部２０７へ出力する。
【００４７】
アンテナマッピング及びデマッピング部２０７は、制御部２０１からの設定に基づいて、リソースマッピング及びデマッピング部２０６から出力された各送信信号を、各アンテナ２０８にマッピングする。そして、アンテナマッピング及びデマッピング部２０７は、送信信号をマッピング先のアンテナ２０８へ出力する。
【００４８】
アンテナ２０８は、アンテナマッピング及びデマッピング部２０７から出力された送信信号を空間へ出力（送信）する。
【００４９】
制御部２０１におけるＵＬ処理は、上述のＤＬ処理の場合と概ね同様であるため、説明を省略する。
【００５０】
無線基地局１０は、ユーザ端末２０に対して、下り制御チャネル（例えば、ＰＤＣＣＨ：Physical Downlink Control Channel）を用いてＤＬ制御信号を送信し、下りデータチャネル（例えば、下り共有チャネル：ＰＤＳＣＨ：Physical Downlink Shared Channel）を用いてＤＬデータ信号及びＲＳを送信する。
【００５１】
ユーザ端末２０は、無線基地局１０に対して、上り制御チャネル（例えば、ＰＵＣＣＨ：Physical Uplink Control Channel）を用いてＵＬ制御信号を送信し、上りデータチャネル（例えば、上り共有チャネル：ＰＵＳＣＨ：Physical Uplink Shared Channel）を用いてＵＬデータ信号及びＲＳを送信する。
【００５２】
なお、無線基地局１０及びユーザ端末２０が送受信に用いる下りチャネル及び上りチャネルは、上記のＰＤＣＣＨ、ＰＤＳＣＨ、ＰＵＣＣＨ、ＰＵＳＣＨ等に限定されず、例えば、ＰＢＣＨ（Physical Broadcast Channel）、ＲＡＣＨ（Random Access Channel）等、他のチャネルでもよい。
【００５３】
また、図１〜図４では、無線基地局１０及びユーザ端末２０において生成されるＤＬ及び／又はＵＬの信号波形は、ＯＦＤＭ（Orthogonal Frequency Division Multiplexing）変調に基づく信号波形でよい。あるいは、当該ＤＬ及び／又はＵＬの信号波形は、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよいし、他の信号波形でもよい。図１〜図４では、信号波形を生成するための構成部（例えば、ＩＦＦＴ（Inverse Fast Fourier Transform）処理部、ＣＰ（Cyclic Prefix）付加部、ＣＰ除去部、ＦＦＴ（Fast Fourier Transform）処理部等）の記載を省略している。
【００５４】
＜検討＞
図５に示すように、無線基地局１０は、ユーザ端末（以下「ＵＥ（User Equipment）」という）２０が無線リンクモニタリング（ＲＬＭ：Radio Link Monitoring）及びビーム障害検出（ＢＦＤ：Beam Failure Detection）に用いるＲＳを、ＤＬ  ＢＷＰ（Bandwidth Part）毎にOPTIONALとして設定できる。以下、ＲＬＭに用いるＲＳを「ＲＬＭ−ＲＳ」、ＢＦＤに用いるＲＳを「ＢＦＤ−ＲＳ」という。
【００５５】
ＲＬＭ−ＲＳ又はＢＦＤ−ＲＳが、パラメータRadioLinkMonitoringConfigの中でexplicitに設定されない場合、ＵＥ２０は、ＰＤＣＣＨのactive TCI stateに紐付くＲＳを、ＲＬＭ又はＢＦＤのためにモニタリングする。なお、TCIは、Transmission configuration indicationの略である。また、TCIは、送信設定情報の一例である。
【００５６】
ＲＬＭについて、次のことが規定されている。
【００５７】
ＵＥ２０は、上位レイヤのパラメータRadioLinkMonitoringRSを提供されず、かつ、ＰＤＣＣＨ受信に関する上位レイヤのパラメータであるTCI-statesによって、１以上のＣＳＩ−ＲＳ、及び／又は、ＳＳ／ＰＢＣＨ（Synchronization Signal/Physical Broadcast Channel）ブロックを含む１以上のＲＳを提供された場合、ＵＥ２０は、次の（Ａ１）〜（Ａ３）の少なくとも１つの動作を行う。
【００５８】
（Ａ１）ＰＤＣＣＨ受信に関するactive TCI stateがただ１つのＲＳを含む場合、ＵＥ２０は、ＰＤＣＣＨ受信のためのactive TCI stateによって提供されるＲＳを、ＲＬＭのために使用する。
（Ａ２）ＰＤＣＣＨ受信に関するactive TCI stateが２つのＲＳを含む場合、ＵＥは、１つのＲＳがQCL(Quasi Co-Location)-TypeDを有すると予期し、QCL-TypeDを有するＲＳを、ＲＬＭのために使用する。なお、ＵＥ２０は、両方のＲＳがQCL-TypeDを有することを予期しない。
（Ａ３）ＵＥ２０は、非周期的又は準永続的なＲＳをＲＬＭのために使用することを要求されない。
【００５９】
ＢＦＤについて、次のことが規定されている。
【００６０】
ＵＥ２０は、上位レイヤのパラメータfailureDetectionResourcesを提供されない場合、次のことを決定する。すなわち、ＵＥ２０は、ｑ−０のセット（つまりモニタリング対象のＲＳ）が、当該ＵＥ２０がＰＤＣＣＨのモニタリングのために使用する各パラメータcontrol resource setsのための上位レイヤのパラメータであるTCI-statesによって示されるＲＳセットにおけるＲＳインデックスとして同じ値を有する周期的なCSI-RS resource configurationインデックスを含むと判断する。
【００６１】
ところで、図６に示すように、パラメータControlResourceSet（CORESET）の設定において、TCI-stateは、OPTIONALにて設定されるようになっており、TCI stateが設定されない場合がある。
【００６２】
また、パラメータControlResourceSetZeroは、初期のＤＬ  ＢＷＰのCORESET#0として設定されるが、TCI stateを設定できるようになっていない。なお、CORESET#0/SearchSpace#0とＳＳＢ（Synchronization Signal Block）インデックスとの紐付けは定義されている。
【００６３】
したがって、ＲＬＭ−ＲＳ及び／又はＢＦＤ−ＲＳがexplicitに設定されず、かつ、ＵＥ２０のCORESETにTCI stateが設定されないケースがある。しかし、上記ＲＬＭの規定及びＢＦＤの規定には、当該ケースが想定されていない。つまり、当該ケースにおいて、ＵＥが適切なＲＬＭ及び／又はＢＦＤを行うことができない。
【００６４】
そこで、本実施の形態は、ＲＬＭ−ＲＳ及び／又はＢＦＤ−ＲＳがexplicitに設定されず、かつ、ＵＥ２０のCORESETにTCI stateが設定されないケースにおいても、ＵＥ２０が適切にＲＬＭ及び／又はＢＦＤを行うことができる方法を説明する。すなわち、本実施の形態は、CORESET#0/SearchSpace#0が設定されている場合、又は、TCI stateの無いCORESETが設定されている場合における、ＲＬＭ及び／又はＢＦＤのためのＵＥ２０の動作を明確にし、ＵＥ２０が正しくＲＬＭ及び／又はＢＦＤを行えるようにする方法を説明する。
【００６５】
なお、本実施の形態における「CORESET#0/SearchSpace#0」の表現は、CORESET#0とSearchSpace#0の少なくとも１つでもよいことを意味する。
【００６６】
＜方法１＞
方法１では、例えばＭＩＢ（Master Information Block）及び／又はＲＲＣ（Radio Resource Control）パラメータにおいて、CRESET#0/SearchSpace#0が設定されている場合について説明する。
【００６７】
ＵＥ２０は、CORESET#0/SearchSpace#0が設定されている場合、現在モニタしているCORESET#0/SearchSpace#0に紐付いているＳＳ／ＰＢＣＨブロックを、ＲＬＭ及び／又はＢＦＤの対象とする。
【００６８】
或いは、ＵＥ２０は、CORESET#0/SearchSpace#0が設定されている場合において、ランダムアクセスを行った場合、最後（直近）のランダムアクセス手順においてＰＲＡＣＨ（Physical random access channel）連携（association）に用いたＳＳ／ＰＢＣＨブロック（又はＣＳＩ−ＲＳ）を、ＲＬＭ及び／又はＢＦＤの対象としてよい。
【００６９】
或いは、ＵＥ２０は、CORESET#0/SearchSpace#0が設定されている場合において、ランダムアクセスを行った場合、最後（直近）のランダムアクセス手順においてＰＲＡＣＨ（Physical random access channel）連携（association）に用いたＳＳ／ＰＢＣＨブロック（又はＣＳＩ−ＲＳ）を、（QCL-TypeDに関する）active TCI stateのＲＳと扱ってＲＬＭ及び／又はＢＦＤを行ってもよい。
【００７０】
次に、図７を参照して、方法１によるＵＥ２０の動作例を説明する。
（Ｓ１）ＵＥ２０は、初期セルサーチを行い、例えばＳＳＢ＃１を検出する。
（Ｓ２）ＵＥ２０は、ＳＳＢ＃１に紐付くCORESET#0のＰＤＣＣＨ及びＰＤＳＣＨにてＳＩＢ１を受信する。
（Ｓ３）ＵＥ２０は、ランダムアクセス手順を行う。具体的には次の手順を行う。ＵＥ２０は、ＳＳＢ＃１に紐付くＲＡＣＨ機会（Occasion）にてＰＲＡＣＨを送信する。ＵＥ２０は、ＳＳＢ＃１を受信したＢＦ（Beam Forming）にて、ＲＡＲ（Random Access Respose）を受信する。以降、ＵＥ２０は、同様に、ランダムアクセス手順に関するMsg3 PUSCHの送信及びMsg4 PDSCHの受信を行う。
（Ｓ４）ＵＥ２０は、CONNECTEDモードにて動作し、ＳＳＢ＃１に紐付くCORESET#0/SearchSpace#0でのモニタリングを実施する。そして、ＵＥ２０は、ＳＳＢ＃１に対するＲＬＭ及び／又はＢＦＤを行う。つまり、ＵＥ２０は、ＳＳＢ＃１を、active TCI stateのＲＳと扱ってＲＬＭ及び／又はＢＦＤを実施する。
【００７１】
なお、方法１の適用において、ＲＬＭ及び／又はＢＦＤに用いるＳＳＢインデックスは、ＭＡＣ  ＣＥ（Control Element）で通知された信号であってもよい。
【００７２】
CORESET#0/SearchSpace#0にはTCI stateを設定できないが、方法１によれば、ＵＥ２０は、（QCL-TypeDに関する）active TCI stateのＲＳとして紐付くＳＳＢが設定されている場合と同等の動作を行うことができる。すなわち、方法１によれば、少なくとも、ＵＥ２０におけるＲＬＭ及び／又はＢＦＤの動作において、CORESET#0/SearchSpace#0における「ＰＤＣＣＨ受信に関するactive TCI stateのために提供されるＲＳ」が明確になる。
【００７３】
方法１は、次の（Ｂ１）から（Ｂ４）の少なくとも１つのように表現されてよい。
【００７４】
（Ｂ１）ＵＥ２０がControlResourceSetZero/SearchSpaceZeroのＰＤＣＣＨ候補（candidate）をモニタする場合、ＵＥ２０は、当該モニタしているControlResourceSetZero/SearchSpaceZeroに紐付いているＳＳ／ＰＢＣＨブロックを、ＲＭＳ及び／又はＢＦＤのために使用する。
【００７５】
（Ｂ２）ＵＥ２０がサービングセル上のControlResourceSetZero/SearchSpaceZeroのＰＤＣＣＨ候補（candidate）をモニタする場合、ＵＥ２０は、当該ＵＥ２０が最後にＲＡＣＨ手順に使用したＳＳ／ＰＢＣＨブロックを、ＰＤＣＣＨ受信に関するactive TCI stateのために提供されるＲＳと想定してよい。
【００７６】
（Ｂ３）ＵＥ２０が上位レイヤのパラメータRadioLinkMonitoringRSを提供されず、かつ、ＵＥ２０がパラメータControlResourceSetZero/SearchSpaceZeroのＰＤＣＣＨ候補をモニタすることを設定されている場合、ＵＥ２０は、当該ＵＥ２０が最後にＲＡＣＨ手順のために使用したＳＳ／ＰＢＣＨブロックを、ＲＭＳのために使用する。
【００７７】
（Ｂ４）ＵＥ２０が上位レイヤのパラメータfailureDetectionResourcesを提供されず、かつ、ＵＥ２０がパラメータControlResourceSetZero/SearchSpaceZeroのＰＤＣＣＨ候補をモニタすることを設定されている場合、ＵＥは、ｑ−０のセット（モニタリング対象のＲＳ）が、当該ＵＥ２０が最後にＲＡＣＨ手順に使用したＳＳ／ＰＢＣＨブロックを含むと決定する。
【００７８】
＜方法２＞
方法２では、例えばＲＲＣパラメータにおいて、TCI stateの無いCORESET（但しCORESET#0以外）のみが設定されている場合について説明する。
【００７９】
（ａ１）ＰＣｅｌｌ（Primary Cell）におけるＲＬＭ動作に関して、次の内容が適用されてよい。TCI stateの無いCORESET（但しCORESET#0以外）のみがＰＣｅｌｌに設定される場合、ＵＥ２０は、ＲＬＭ−ＲＳがパラメータRadioLinkMonitoringConfigの中でexplicitに設定されると想定する。別言すると、ＰＣｅｌｌではＲＬＭが行われるとの想定に基づき、ＰＣｅｌｌではＲＬＭ対象のＲＳが判るような設定がなされるものとする。つまり、ＵＥ２０は、ＲＬＭ−ＲＳの設定の無いケースをエラーとして取り扱う。
【００８０】
なお、上記（ａ１）の内容は、次のように表現されてもよい。ＵＥ２０が、ControlResourceSetZero/SearchSpaceZero内のＰＤＣＣＨ候補をモニタすることを設定されず、かつ、ＵＥ２０が、ＰＣｅｌｌにおいて、上位レイヤパラメータである、ＰＤＣＣＨ受信に関するTCI-statesによって、１以上のＣＳＩ−ＲＳ、及び／又は、ＳＳ／ＰＢＣＨブロックを含む１以上のＲＳを提供されない場合、ＵＥ２０は、上位レイヤパラメータであるRadioLinkMonitoringRSを提供されないことを予期しない。別言すると、この場合、ＵＥ２０は、パラメータRadioLinkMonitoringRSを提供されることを予期する。
【００８１】
（ａ２）ＰＳＣｅｌｌ（Primary Secondary Cell）におけるＲＬＭ動作に関して、次の（Ａｌｔ．１）又は（Ａｌｔ．２）の内容が適用されてよい。
【００８２】
（Ａｌｔ．１）ＵＥ２０は、上記（ａ１）と同様、ＰＳＣｅｌｌではＲＬＭ−ＲＳがexplicitに設定されると想定する。つまり、ＵＥ２０は、ＲＬＭ−ＲＳの設定の無いケースをエラーとして取り扱う。
【００８３】
（Ａｌｔ．２）ＰＳＣｅｌｌでは、TCI stateの無いCORESET（但しCORESET#0以外）のみが設定され、かつ、ＲＬＭ−ＲＳがパラメータRadioLinkMonitoringConfigの中でexplicitに設定されない場合、ＵＥ２０は、ＰＳＣｅｌｌにおいてＲＬＭ動作を行わないものとする。
【００８４】
なお、上記（Ａｌｔ．２）の内容は、次のように表現されてもよい。ＳＣＧ（Secondary cell group）のＰＳＣｅｌｌにおいて、ＵＥ２０は、パラメータControlResourceSetZero/SearchSpaceZeroのＰＤＣＣＨ候補をモニタすることが設定されず、上位レイヤパラメータであるＰＤＣＣＨ受信に関するTCI-statesによって、１以上のＣＳＩ−ＲＳ、及び／又は、ＳＳ／ＰＢＣＨブロックを含む１以上のＲＳを提供されず、かつ、上位レイヤパラメータであるRadioLinkMonitoringRSを提供されない場合、ＵＥ２０は、ＳＣＧのＰＳＣｅｌｌにおいてＲＬＭを行うことを要求されない。
【００８５】
（ｂ）ＰＣｅｌｌ及び／又はＰＳＣｅｌｌにおけるＢＦＤ動作に関して、以下の（Ａｌｔ．１）又は（Ａｌｔ．２）の内容が適用されてよい。
【００８６】
（Ａｌｔ．１）ＵＥ２０は、上記（ａ１）と同様、ＰＣｅｌｌ（又はＰＳＣｅｌｌ）ではＢＦＤ−ＲＳがexplicitに設定されると想定する。つまり、ＵＥ２０は、ＢＦＤ−ＲＳの設定の無いケースをエラーとして取り扱う。
【００８７】
（Ａｌｔ．２）上記（ａ１）或いは（ａ２）の（Ａｌｔ．２）と同様、TCI-stateの無いCORESET（但しCORESET#0以外）のみが設定され、かつ、ＢＦＤ−ＲＳがRadioLinkMonitoringConfigの中でexplicitに設定されない場合、ＵＥ２０は、ＰＣｅｌｌ（又はＰＳＣｅｌｌ）においてＢＦＤ動作を行わないものとする。
【００８８】
＜変形例＞
ＲＬＭ動作における（Ａｌｔ．１）と（Ａｌｔ．２）と、ＢＦＤ動作における（Ａｌｔ．１）と（Ａｌｔ．２）とは、どのように組み合わせてもよい（異なる組み合わせでもよい）。
【００８９】
また、ＢＦＤ動作において、ＰＣｅｌｌに対する（Ａｌｔ．１）と（Ａｌｔ．２）と、ＰＳＣｅｌｌに対する（Ａｌｔ．１）と（Ａｌｔ．２）とは、どのように組み合わせてもよい（異なる組み合わせでもよい）。
【００９０】
本実施の形態の適用対象は、上述したＰＣｅｌｌ及びＰＳＣｅｌｌに限られない。例えば、本実施の形態を、ＳＣｅｌｌ（Secondary Cell）におけるＲＬＭ及び／又はＢＦＤに適用してもよい。この場合、ＵＥ２０は、上述のＰＣｅｌｌ及びＰＳＣｅｌｌの（Ａｌｔ．１）又は（Ａｌｔ．２）とは異なる方法を採用してもよい。
【００９１】
＜実施の形態のまとめ＞
一態様の係るユーザ端末２０は、下りリンクに関する制御情報を受信する受信部と、制御情報において、無線リンク障害の監視（ＲＬＭ）及びビーム障害の検出（ＢＦＤ）の少なくとも１つに関する処理に使用すべき参照信号（ＲＳ）の情報が示されず、かつ、参照信号（ＲＳ）に関連付いた下り送信設定情報（例えばTCI-states）が示されない場合、規定の信号に基づいて上記処理を行う制御部と、を有する。当該規定の信号は、セルサーチにおいて検出されたＳＳ／ＰＢＣＨであってよい。或いは、当該規定の信号は、ＭＡＣ  ＣＥで通知された信号であってもよい。
【００９２】
また、一態様の係るユーザ端末２０は、下りリンクに関する制御情報を受信する受信部と、制御情報において、無線リンク障害の監視（ＲＬＭ）及びビーム障害の検出（ＢＦＤ）の少なくとも１つに関する処理に使用すべき参照信号（ＲＳ）の情報が示されず、かつ、参照信号（ＲＳ）に関連付いた下り送信設定情報（例えばTCI-states）が示されない場合、（１）エラー状態と決定する、あるいは、（２）前記処理を行わないと決定する制御部と、を有する。
【００９３】
ユーザ端末２０は、上記構成により、ＲＬＭ及びＢＦＤの少なくとも１つに関する処理を実現できる。
【００９４】
以上、本開示の実施の形態について説明した。
【００９５】
（ハードウェア構成等）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００９６】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting unit）や送信機（transmitter）と呼称される。いずれも、上述したとおり、実現方法は特に限定されない。
【００９７】
例えば、本開示の一実施の形態における基地局、ユーザ端末などは、本開示の無線通信方法の処理を行うコンピュータとして機能してもよい。図８は、本開示の一実施の形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【００９８】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【００９９】
基地局１０及びユーザ端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１００】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のスケジューラ１０１、制御部２０１、上位レイヤ処理部１０２，２０２、エラー制御部１０３，２０３、符号化及び復号化部１０４，２０４、変調及び復調部１０５，２０５、リソースマッピング及びデマッピング部１０６，２０６、アンテナマッピング及びデマッピング部１０７，２０７などは、プロセッサ１００１によって実現されてもよい。
【０１０１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ユーザ端末２０の制御部２０１は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１０２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１０３】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１０４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述のアンテナ１０８、２０８などは、通信装置１００４によって実現されてもよい。送受信部は、送信部と受信部とで、物理的に、または論理的に分離された実装がなされてもよい。
【０１０５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１０６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１０７】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１０８】
＜情報の通知、シグナリング＞
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１０９】
＜適用システム＞
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１１０】
＜処理手順等＞
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１１１】
＜基地局の動作＞
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１１２】
＜入出力の方向＞
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１１３】
＜入出力された情報等の扱い＞
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１１４】
＜判定方法＞
判定は、１ビットで表される値（０か１か）によって行われてもよいし、真偽値（Boolean：true又はfalse）によって行われてもよいし、数値の比較（例えば、所定の値との比較）によって行われてもよい。
【０１１５】
＜態様のバリエーション等＞
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１１６】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１１７】
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１１８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１１９】
＜情報、信号＞
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１２０】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１２１】
＜「システム」、「ネットワーク」＞
本開示において使用する「システム」及び「ネットワーク」という用語は、互換的に使用される。
【０１２２】
＜パラメータ、チャネルの名称＞
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１２３】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１２４】
＜基地局＞
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１２５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１２６】
＜移動局＞
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１２７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１２８】
＜基地局／移動局＞
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１２９】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
同様に、本開示におけるユーザ端末は、基地局で読み替えてもよい。この場合、上述のユーザ端末２０が有する機能を基地局１０が有する構成としてもよい。
【０１３０】
＜用語の意味、解釈＞
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１３１】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１３２】
＜参照信号＞
参照信号は、ＲＳ（Reference  Signal）と略称することもでき、適用される標準によってパイロット（Pilot）と呼ばれてもよい。
【０１３３】
＜「に基づいて」の意味＞
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３４】
＜「第１の」、「第２の」＞
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１３５】
＜「手段」＞
上記の各装置の構成における「手段」を、「部」、「回路」、「デバイス」等に置き換えてもよい。
【０１３６】
＜オープン形式＞
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１３７】
＜ＴＴＩ等の時間単位、ＲＢなどの周波数単位、無線フレーム構成＞
無線フレームは時間領域において１つ又は複数のフレームによって構成されてもよい。時間領域において１つ又は複数の各フレームはサブフレームと呼ばれてもよい。
【０１３８】
サブフレームは更に時間領域において１つ又は複数のスロットによって構成されてもよい。サブフレームは、ニューメロロジー（numerology）に依存しない固定の時間長（例えば、１ｍｓ）であってもよい。
【０１３９】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１４０】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１４１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１４２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１４３】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１４４】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１４５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１４６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１４７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１４８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１４９】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１５０】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１５１】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１５２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１５３】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１５４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１５５】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１５６】
＜最大送信電力＞
本開示に記載の「最大送信電力」は、送信電力の最大値を意味してもよいし、公称最大送信電力(the  nominal  UE  maximum  transmit  power)を意味してもよいし、定格最大送信電力(the  rated  UE  maximum  transmit  power)を意味してもよい。
【０１５７】
＜冠詞＞
本開示において、例えば、英語でのa、an及びtheのように、翻訳により冠詞が追加された場合、本開示は、これらの冠詞の後に続く名詞が複数形であることを含んでもよい。
【０１５８】
＜「異なる」＞
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【産業上の利用可能性】
【０１５９】
本開示の一態様は、無線通信システムに有用である。
【符号の説明】
【０１６０】
１０  無線基地局
２０  ユーザ端末
１０１  スケジューラ
２０１  制御部
１０２、２０２  上位レイヤ処理部
１０３、２０３  エラー制御部
１０４、２０４  符号化及び復号化部
１０５、２０５  変調及び復調部
１０６、２０６  リソースマッピング及びデマッピング部
１０７、２０７  アンテナマッピング及びデマッピング部
１０８、２０８  アンテナ
【図１】
2020049745.tif 000003
【図２】
2020049745.tif 000004
【図３】
2020049745.tif 000005
【図４】
2020049745.tif 000006
【図５】
2020049745.tif 000007
【図６】
2020049745.tif 000008
【図７】
2020049745.tif 000009
【図８】
2020049745.tif 000010
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
特定のインデックスの制御リソースセットについてtransmission configuration indication （TCI）stateが示されない場合、直近のランダムアクセス手順におけるsynchronization signal／physical broadcast channel block（SSB）を、物理下り制御チャネルの受信のために用いることを決定する制御部と、
前記物理下り制御チャネルを受信する受信部と、
を備えた、端末。
【請求項２】
前記特定のインデックスは０である、
請求項１に記載の端末。
【請求項３】
特定のインデックスの制御リソースセットについてtransmission configuration indication （TCI）stateが示されない場合、直近のランダムアクセス手順におけるsynchronization signal／physical broadcast channel block（SSB）を、物理下り制御チャネルの受信のために用いることを決定し、
前記物理下り制御チャネルを受信する、
方法。
【請求項４】
基地局と、
端末と、を備え、
前記端末は、
特定のインデックスの制御リソースセットについてtransmission configuration indication （TCI）stateが示されない場合、直近のランダムアクセス手順におけるsynchronization signal／physical broadcast channel block（SSB）を、物理下り制御チャネルの受信のために用いることを決定する制御部と、
前記基地局から前記物理下り制御チャネルを受信する受信部と、
を備えた、システム。
【請求項５】
上位レイヤパラメータを受信する受信部と、
特定のインデックス以外の制御リソースセットにおいてtransmission configuration indication （TCI）stateが示されない場合、前記上位レイヤパラメータにおいて、無線リンクモニタリング（RLM）及びビーム障害検出（BFD）の少なくとも１つのための参照信号に関する情報が示されると判断する制御部と、
を備えた、端末。
【請求項６】
前記特定のインデックスは０である、
請求項５に記載の端末。
【手続補正３】
【補正対象書類名】明細書
【補正対象項目名】０００１
【補正方法】変更
【補正の内容】
【０００１】
本発明は、端末、方法、及び、システムに関する。
【国際調査報告】
2020049745.tif 000011
2020049745.tif 000012